(57)【要約】【課題】複数のユニット部材を収納した状態で遊技装置体に取り付けられる遊技役物であって、遊技役物自体の歪みを吸収することができる遊技役物を提供すること。【解決手段】この遊技役物は、複数のユニット部材と、複数のユニット部材を収納し、かつ球の流下に基づく遊技を実現する遊技装置体に対して複数の枠固定部を介して固定される枠部材４１と、を備えており、枠部材４１には、この枠部材４１の外形を変形させて、枠固定部４１ｂ間における歪みを吸収する外形変形構造４１ｃが設けられている。【選択図】図６
2010207303.tif 000002
【特許請求の範囲】
【請求項１】
複数のユニット部材と、
該複数のユニット部材を収納し、かつ球の流下に基づく遊技を実現する遊技装置体に対して複数の枠固定部を介して固定される枠部材と、を有する遊技役物であって、
前記枠部材には、該枠部材の外形を変形させて、前記枠固定部間における歪みを吸収する外形変形構造が設けられている、遊技役物。
【請求項２】
前記外形変形構造は、前記枠部材の前記枠固定部間に形成された溝部を有し、該溝部の形状の変化に基づいて前記歪みを吸収するように構成されている、請求項１に記載の遊技役物。
【請求項３】
前記枠部材は、複数の枠構成部材によって構成されており、
前記外形変形構造は、前記複数の枠構成部材の相対位置を調整する調整部を有し、該枠構成部材同士の相対位置の調整に基づいて前記歪みを吸収するように構成されている、請求項１に記載の遊技役物。
【請求項４】
前記複数のユニット部材は、複数のユニット固定部を介して枠部材に固定されており、
前記ユニット部材と前記枠部材の相対位置を調整して、前記枠部材の歪みを吸収する位置調整構造を更に有する、請求項１から請求項３のいずれかに記載の遊技役物。
【請求項５】
前記複数のユニット部材同士を接続するユニット接続部を更に備えており、
前記ユニット部材は、前記遊技を制御する電子基板と接続する配線を有しており、
前記ユニット接続部は、前記ユニット部材の前記配線を収納する配線収納部を備えている、請求項１から請求項４のいずれかに記載の遊技役物。
【請求項６】
前記複数のユニット部材同士を接続するユニット接続部を更に備えており、
前記複数のユニット部材は、左右方向又は上下方向に隣接して配置され、
前記枠固定部は、前記枠部材の前端部と後端部のうち一方に配置されており、
前記ユニット接続部は、前記枠部材の前記前端部と前記後端部のうち他方において隣接する前記ユニット部材同士を固定し、隣接する該ユニット部材同士の前後方向の相対移動を規制する、請求項１から請求項４のいずれかに記載の遊技役物。
【請求項７】
前記複数のユニット部材に跨って配置された第１球通路と、
前記第１球通路における球の通過方向の上流側に位置するユニット部材と下流側に位置するユニット部材との上下方向の相対移動を規制するユニット移動規制構造と、を更に備える、請求項１から請求項６のいずれかに記載の遊技役物。
【請求項８】
前記遊技球の流下に基づく遊技を実現する遊技装置体と、
請求項１から請求項７のいずれかに記載の遊技役物と、
前記遊技装置体を挟んで前記遊技役物と対向して配置される第２役物と、
前記遊技役物と前記第２役物とに跨って配置された第２球通路と、
前記第２球通路における前記遊技役物と前記第２役物との上下方向の相対移動を規制する役物移動規制構造と、を有する、遊技装置体ユニット。
【発明の詳細な説明】
【技術分野】
【０００１】
本発明は、遊技役物及び遊技装置体に係り、特に複数のユニット部材を収納して遊技装置体に取り付けられる遊技役物及びこの遊技役物を有する遊技装置体ユニットに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の景品球の払出しがされ、一方いずれの入賞口にも入賞せずアウト口に遊技球が流入すれば景品球の払出しはされない。遊技者は、弾球における自らの技量を発揮して、又は遊技球の流下における偶然性を利用しつつ遊技球の入賞及び景品球払出しを期待し、遊技を楽しむのである。
【０００３】
遊技球の流下に基づく遊技を実現する遊技領域には、遊技球が入球する入球口を有する入賞装置や、遊技状態等を表示する表示装置や、表示装置を保持する遊技役物が配置されている。この遊技役物には、表示装置の他にも各種部品を保持したものがあり、例えば、特許文献１には、遊技球を振り分ける振り分け装置を保持した遊技役物が記載されている。
【先行技術文献】
【特許文献】
【０００４】
【特許文献１】特開２００６−１２２２８０号公報
【発明の概要】
【発明が解決しようとする課題】
【０００５】
特許文献１に記載の遊技役物は、ワープ導入口と、ワープ導入口から導入された遊技球を受ける複数の進路が形成された遊技球ステージと、ワープ導入口から導入された遊技球を遊技球ステージの各進路に振り分ける振り分け装置と、を備えている。このような振り分け装置を備えた遊技役物においては、振り分け装置の遊技役物に対する位置決めが正確に行われないと、遊技球の振り分け比率が変更してしまうことがあり、高い位置決め精度が求められている。
【０００６】
このような問題に鑑みて特許文献１の記載の遊技役物は、振り分け装置の位置決めを正確に行うための支持体を有している。支持体に振り分け装置を支持させた形で遊技役物に装着することにより、支持体を介して遊技役物に対する正しい位置に振り分け装置を位置決めすることができる。
【０００７】
また、近年、表示装置が大型化しており、この表示装置の大型化に伴い表示装置を保持する遊技役物も大型化している。比較的大型の遊技役物においては、比較的小型の遊技役物と比較して製造過程等における歪みが大きくなる傾向がある。この遊技役物の歪みが大きくなると、遊技役物と遊技装置体との位置決めを正確に行うことができなくなり、取付精度の低下を招くおそれがある。
【０００８】
例えば、特許文献１に記載の遊技役物において、支持体を用いて遊技役物の正しい位置に振り分け装置を取り付けることができても、遊技役物自体に歪みがあって遊技装置体に対する遊技役物の取付精度が低下すると、遊技役物に装着された振り分け装置の遊技装置体に対する取付精度も低下することとなる。
【０００９】
また、遊技役物自体に歪みが生じていない場合であっても、複数の遊技部品が取り付けられることにより、遊技部品同士の干渉等により遊技役物自体に歪みが生じ、遊技装置体に対する遊技役物の取付精度が低下するおそれがある。
【００１０】
本発明は、上記の事情に鑑みて為されたものであり、複数のユニット部材を収納した状態で遊技装置体に取り付けられる遊技役物であって、遊技役物自体の歪みを吸収して、遊技役物と遊技装置体との取付精度を向上させることができる遊技役物及び遊技装置体ユニットを提供することを例示的課題とする。
【課題を解決するための手段】
【００１１】
本発明の例示的な側面としての遊技役物は、複数のユニット部材と、複数のユニット部材を収納し、かつ球の流下に基づく遊技を実現する遊技装置体に対して複数の枠固定部を介して固定される枠部材と、を備えており、枠部材には、この枠部材の外形を変形させて、枠固定部間における歪みを吸収する外形変形構造が設けられている。
【００１２】
遊技役物は複数のユニット部材を収納可能に構成された枠部材を備えており、この枠部材が球の流下に基づく遊技を実現する遊技装置体に対して固定される。枠部材は、複数の枠固定部を介して遊技装置体に固定されるように構成されており、枠部材の外形を変形させて枠固定部間における歪みを吸収する外形変形構造を備える。
【００１３】
枠部材に外形変形構造が設けられていることにより、枠部材が複数のユニット部材を収納することや枠部材の大型化等の要因により枠部材に歪みが生じた場合であっても、その歪みを吸収することができ、遊技装置体と遊技役物との取付精度の低下を抑制することができる。例えば、枠部材に歪みが生じた状態で遊技装置体に取り付けようとすると、枠部材と遊技装置体との相対位置は正しい位置に対してずれており、遊技役物と遊技装置体との取付精度が低下することがある。しかし、外形変形構造によって枠部材の外形を変形して枠固定部間の歪みを吸収することにより、枠部材と遊技装置体との相対位置を正しい位置に調整して、遊技役物と遊技装置体との取付精度を向上させることができる。
【００１４】
遊技装置体は、球の流下に基づく遊技を実現するためのものであり、具体的には、パチンコ遊技機における遊技盤を例示できる。遊技役物は、複数のユニット部材と枠部材とを有し、枠固定部を介して遊技装置体に固定されるものであり、具体的には、画像等を表示する表示ユニットを保持し、遊技盤の略中央に配置されるセンター役物や、遊技球が流入可能な入球口が設けられた入球ユニットを有する入球装置や、発光体等の装飾ユニットを有する装飾部材を例示することができる。
【００１５】
ユニット部材は、枠部材に収納される遊技部品であり、例えば、センター役物に装着される可動物ユニット、遊技領域を流下する遊技球を所定領域に向けて通過させる球通路ユニット、遊技球が流入可能な入球ユニット、映像等を表示する表示ユニット、装飾効果を発揮する装飾ユニット、等を例示できる。枠部材は、複数のユニット部材を収納可能であり、これらのユニット部材を収納した状態で遊技装置体に固定される。
【００１６】
枠固定部は、遊技装置体及び／又は枠部材に設けられ、遊技装置体と枠部材とを固定するための部分であってもよいし、遊技装置体及び枠固定部と別個の部材であって、遊技装置体と枠部材とを固定する部材であってもよい。例えば、枠固定部として、枠部材に突起部を形成するとともに遊技装置体に突起部が挿入する穴部を形成してもよいし、枠部材及び遊技装置体に枠固定部としての穴部を形成するとともに、これらの穴部に挿入されることにより遊技装置体と枠部材とを固定する接続部材を枠固定部としてもよい。
【００１７】
外形変形構造は、枠部材の枠固定部間に形成された溝部を有し、溝部の形状の変化に基づいて歪みを吸収するように構成されていてもよい。このように構成された外形変形構造によれば、溝部の幅や位置等、溝部の形状の変化に基づいて枠固定部間における歪みを吸収して、枠部材と遊技装置体との取付精度を向上させることができる。
【００１８】
具体的には、枠部材の枠固定部間に形成されたスリットを設け、このスリットを外力により変形可能に構成する。スリットの幅を大きくしたり、小さくしたりすることにより、枠固定部間の距離を短くしたり長くしたりして、枠固定部間の歪みを吸収することができる。
【００１９】
なお、外形変形構造は、隣接して配置された全ての枠固定部間に形成してもよいし、任意の枠固定部間のみに形成してもよい。また、溝部の形状の変化とは、変化の前後において溝部の大きさ等が変化する構成のみならず、外形が変形した結果溝部の一部がなくなる（溝部を隔成する枠部材部分が接する）構成も含む概念である。
【００２０】
また、遊技役物は、枠部材が複数の枠構成部材によって構成されており、外形変形構造が複数の枠構成部材の相対位置を調整する調整部を有し、枠構成部材同士の相対位置の調整に基づいて歪みを吸収するように構成されていてもよい。このように構成された外形変形構造によっても、枠構成部材同士の相対位置の変化に基づいて枠固定部間における歪みを吸収して、枠部材と遊技装置体との取付精度を向上させることができる。
【００２１】
具体的には、第１枠構成部材と第２枠構成部材とを組み合わせて枠部材として、第１枠構成部材と第２枠構成部材との相対位置を変更可能に構成する。第１枠構成部材に枠固定部を設け、この枠固定部と隣接する枠固定部を第２枠構成部材に設ける。そして、第１枠構成部材に対して第２枠構成部材を移動したり、第２枠構成部材に対して第１枠構成部材を移動したりすることにより、枠固定部間の距離や角度を変化させて、遊技役物の歪みを吸収することができる。
【００２２】
複数のユニット部材は、複数のユニット固定部を介して枠部材に固定されており、ユニット部材と枠部材の相対位置を調整して、枠部材の歪みを吸収する位置調整構造を更に有する事が望ましい。
【００２３】
外形変形構造は、枠部材の外形の変化に基づいて歪みを吸収するため、枠部材と遊技装置体とにおける歪みを解消することによって、枠部材の外形が変化する。この枠部材の外形が変化した結果、枠部材に収納されるユニット部材と枠部材との相対位置が正しい位置からずれ、ユニット部材が適切に枠部材に収納されないおそれがある。
【００２４】
しかし、ユニット部材と枠部材との相対位置を調整する位置調整構造を有することにより、枠部材の外形が変化した場合であっても、枠部材とユニット部材との相対位置を調整し、複数のユニット部材を適切に枠部材に取り付けることが可能となる。
【００２５】
具体的な位置調整構造としては、枠部材とユニット部材のうち一方にユニット固定部としてのビスを設け、枠部材とユニット部材の他方にユニット固定部としての長穴を設ける。ビスは長穴に挿入可能であって、長穴内における位置を移動可能に構成する。長穴内でのビスの位置を調整することにより、ユニット部材と枠部材との相対位置を調整して固定することにより、枠部材の歪みを吸収することができる。
【００２６】
また、遊技役物は、複数のユニット部材同士を接続するユニット接続部を更に備えており、ユニット部材は、遊技を制御する電子基板と接続する配線を有しており、ユニット接続部は、ユニット部材の配線を収納する配線収納部を備えるように構成されていてもよい。
【００２７】
枠部材には、複数のユニット部材が収納されており、各ユニット部材が移動自在であると枠部材内における位置がずれて、枠部材内に複数のユニット部材を適切に収納できないおそれがある。したがって、複数のユニット部材同士を接続することが望ましく、ユニット部材同士を接続することにより、ユニット部材同士の相対位置を適切な位置で固定することができる。更に、ユニット部材同士を接続することにより、枠部材内に収納される部材の剛性を高めることができ、遊技役物の剛性を高めることが可能となる。
【００２８】
また、枠部材に収納されるユニット部材は、発光部を有する装飾ユニットや可動ユニット等電子基板を備え、遊技制御基板によって駆動制御されるものがある。このようなユニット部材は、遊技制御基板と電気的に接続するための配線を有しており、各ユニット部材から配線が突出している。複数のユニット部材から配線が突出していると、枠部材内に複数の配線が混在して、配線の絡まり等による不具合が発生するおそれがある。しかし、ユニット接続部に配線を収納する配線収納部を設けることにより、各ユニット部材から突出した配線を適宜収納することができ、配線の絡まりによる不具合を防止することができる。
【００２９】
遊技役物は、複数のユニット部材同士を接続するユニット接続部を更に備えており、複数のユニット部材は、左右方向又は上下方向に隣接して配置され、枠固定部は、枠部材の前端部と後端部のうち一方に配置されており、ユニット接続部は、枠部材の前端部と後端部のうち他方において隣接するユニット部材同士を固定し、隣接するユニット部材同士の前後方向の相対移動を規制するように構成されていてもよい。
【００３０】
枠固定部が設けられた枠部材の前端部又は後端部において、枠部材と遊技装置体とが固定されている。枠固定部が前端部にある場合は、枠部材の前側において枠部材と遊技装置体とが固定され、枠部材の前側は遊技装置体に対して位置決めされている。一方、枠部材の後側は遊技装置体と固定されておらず、位置が固定されていない状態となる。また、枠固定部が後端部にある場合は、枠部材と遊技装置体とが枠部材の後側で固定されており、枠部材の後側は遊技装置体に対して位置決めされている。一方、前側は遊技装置体と固定されておらず、位置が固定されていない状態となる。
【００３１】
すなわち、枠固定部が配置されている一方は位置決めがなされているが、枠部材が配置されていない他方は他の部材との位置決めがなされておらず、フリーな状態となる。このようなフリーな状態では、一方側における遊技装置体と遊技役物との固定に伴って他方側の枠部材に歪みが生じ、遊技役物と遊技装置体との取付精度が低下することがある。
【００３２】
また、枠固定部が設けられていない他方がフリーな状態であると、枠部材自体に歪みが生じ、複数のユニット部材を適切な位置に収納できないおそれがある。しかし、枠部材の位置決めがなされていない他方において、隣接して配置されたユニット部材同士を接続するユニット接続部を設けることにより、ユニット部材同士の接続によってユニット部材と枠部材との位置ずれを生じ難くすることができる。よって、遊技役物自体の歪みを少なくして、遊技役物と遊技装置体との取付精度の低下を抑制することができる。
【００３３】
また、遊技役物は、複数のユニット部材に跨って配置された第１球通路と、第１球通路における球の通過方向の上流側に位置するユニット部材と下流側に位置するユニット部材との上下方向の相対移動を規制するユニット移動規制構造と、を更に備えることが望ましい。
【００３４】
複数のユニット部材に跨った第１球通路を有しており、第１球通路内の遊技球は、複数のユニット部材に連通した通過面を通過する。このとき、複数のユニット部材に連通した通過面の上下方向の位置がずれていると、ユニット部材同士のつなぎ目で段差が生じる。特に球の通過方向の上流側に位置するユニット部材よりも下流側に位置するユニット部材が上方に位置していると、段差によって球の円滑な移動が阻害され、球通路内で球詰まりが発生するおそれがある。
【００３５】
しかし、第１球通路における球の通過方向の上流側に位置するユニット部材と下流側に位置するユニット部材との上下方向の相対移動を規制するユニット移動規制構造を設けることにより、球の円滑な通過を阻害する通過面の段差を解消することができ、球通路内の球詰まりの発生を抑制することができる。
【００３６】
移動規制構造は、球の通過方向の上流側に位置するユニット部材と下流側に位置するユニット部材との上下方向の相対移動を規制する構造であればよく、特に上流側のユニット部材が下流側のユニット部材より上方に位置するようにユニット部材の相対位置を規制する構造が好ましい。具体的な構造としては、上流側のユニット部材の一部を下流側の上方に重ねて配置し、上流側のユニット部材が下流側のユニット部材よりも常に上方に位置するような構造を例示できる。
【００３７】
また、本発明の他の例示的な側面としての遊技機は、遊技球の流下に基づく遊技を実現する遊技装置体と、上記に記載の遊技役物と、遊技装置体を挟んで遊技役物と対向して配置される第２役物と、遊技役物と第２役物とに跨って配置された第２球通路と、第２球通路における遊技役物と第２役物との上下方向の相対移動を規制する役物移動規制構造と、を有する。
【００３８】
遊技装置体を挟んで対抗して配置される遊技役物と第２役物とに跨った第２球通路を有しており、第２球通路内の球は、遊技役物と第２役物とに連通した通過面を通過する。このとき、遊技役物と第２役物に跨った通過面の上下方向の位置がずれていると、遊技役物と第２役物とのつなぎ目で段差が生じる。特に球の通過方向の上流側に位置する役物よりも下流側に位置する役物が上方に位置していると、段差によって球の円滑な移動が阻害され、球通路内で球詰まりが発生するおそれがある。
【００３９】
しかし、遊技役物と第２役物との上下方向の相対移動を設けることにより、球の円滑な通過を阻害する通過面の段差を解消することができ、球通路内の球詰まりの発生を抑制することができる。更に、遊技役物と第２役物とに跨って球通路を配置することにより、遊技役物のみに球通路を配置する構成と比べて、球通路の配置領域を大きくすることが可能となり、球の通過経路を比較的長くしたり、複雑にしたりすることが可能となり、球の通過軌跡を多様化することが可能となる。
【００４０】
なお、遊技装置体とは、遊技機における遊技を実現するものであり、例えば、パチンコ遊技機であれば、遊技媒体の流下による遊技を実現する遊技盤、スロットマシンであれば、絵柄の組合せによる遊技を実現するリールを例示できる。
【００４１】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネット（筐体枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００４２】
本発明の更なる目的又はその他の特徴は、以下添付図面を参照して説明される好ましい実施の形態によって明らかにされるであろう。
【発明の効果】
【００４３】
本発明によれば、複数のユニット部材を収納した状態で遊技装置体に取り付けられる遊技役物において、外形変形構造によって枠部材の外形を変形して枠固定部間の歪みを吸収することができ、枠部材と遊技装置体との相対位置を基準位置に調整して、遊技役物と遊技装置体との取付精度を向上させることができる。また、ユニット接続部によって複数のユニット部材同士を接続することにより、ユニット部材同士の相対位置を適切な位置で固定することができるとともに、枠部材内に収納される部材の剛性を高めて遊技役物の剛性を高めることが可能となる。
【００４４】
加えて、ユニット接続部に配線を収納する配線収納部を設けることにより、各ユニット部材から突出した配線を適宜収納することができ、配線の絡まりによる不具合を防止することができる。更に、遊技機枠の前端部と後端部のうち遊技装置体と位置決めがなされていない端部側にユニット接続部を設けることにより、ユニット部材と枠部材との位置ずれを生じ難くして遊技役物自体の歪みを少なくして、遊技役物と遊技装置体との取付精度の低下を抑制することができる。
【図面の簡単な説明】
【００４５】
【図１】本発明の実施の形態に係るパチンコ機の正面図である。
【図２】パチンコ機から取り外した裏センター役物の正面図である。
【図３】図２に示す裏センター役物の右側面図である。
【図４】裏センター役物の正面から視認した分解斜視図である。
【図５】裏センター役物の背面から視認した分解斜視図である。
【図６】裏センター役物の外形変形構造を示した部分拡大図である。
【図７】図３に示すＡ−Ａ断面図における第１通路部分の拡大図である。
【図８】図３に示すＡ−Ａ断面図における第２球通路部分を拡大した図である。
【図９】図２に示すＢ部分を拡大した位置調整構造の部分拡大図である。
【図１０】図２に示すＣ部分を拡大した位置調整構造の部分拡大図である。
【図１１】図２に示すＤ部分を拡大した位置調整構造の部分拡大図である。
【図１２】図２に示すＥ部分を拡大した位置調整構造の部分拡大図である。
【図１３】第１ユニット部材と第２ユニット部材とを固定するユニット接続部の部分拡大図である。
【図１４】第２ユニット部材と第３ユニット部材とを固定するユニット接続部の部分拡大図である。
【図１５】変形例に係る外形変形構造を示した図である。
【図１６】変形例に係るユニット接続部を示した図である。
【図１７】表センター役物と裏センター役物との接続部分を示した部分拡大図である。
【発明を実施するための形態】
【００４６】
以下、本発明の実施の形態について図面を用いて説明する。図１は、本発明の実施の形態に係る遊技機としてのパチンコ機２の正面図である。このパチンコ機２は、遊技機枠３、遊技盤ユニット５、前面ガラス（透明板）１０、発射ユニット（不図示）、貯留皿１４を有している。発射ユニットは、１個ずつ遊技球２３を遊技盤ユニット５に構成される遊技領域１６に向けて発射可能である。
【００４７】
パチンコ機２は、アレンジボール機、雀遊技球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）とハネモノ遊技（２種遊技、役物遊技ともいう。）の両方の遊技を実現するいわゆる１種２種タイプのパチンコ機について例示説明する。なお、図柄変動遊技及び役物遊技については後述する。
【００４８】
パチンコ機２の遊技機枠３は、後述する遊技盤ユニット５を保持するためのもので、このパチンコ機２の周囲及び前方又はそれに加えて後方を囲むように構成される。遊技機枠３の内部には、遊技盤ユニット５の他にも各種電子基板や遊技媒体用の経路等各種機構部品が配置され、遊技機枠３によって周囲側面及び前面又はそれに加えて後方からのパチンコ機２内部への不正アクセスが防止されるようになっている。
【００４９】
例えば、パチンコ機２の周囲を囲む筐体枠４、その内側にヒンジ部（揺動支持部）２２によって前方開閉可能に揺動支持されて遊技盤ユニット５を保持する機枠９、機枠９の前方にヒンジ部２２によって前方開閉可能に揺動支持されて前面ガラス１０とその周囲を装飾する装飾部材３２とを保持する装飾枠１２とを有して遊技機枠３が構成される。
【００５０】
前面ガラス１０は、遊技盤６に対して一定距離以上離間して配置され、パチンコ機２の前方を覆い、内部に保持された遊技盤６を前方から遊技者が視認することができるようにするための透明部材である。前面ガラス１０は２枚の透明平板ガラスで形成されて装飾枠１２の裏面側に保持され、遊技盤６との間に遊技球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５１】
貯留皿１４は、遊技者の持ち球を貯留するためにパチンコ機２の前面に配置された皿部材であって、本実施の形態においては上皿１４ａと下皿１４ｂとを有している。上皿１４ａは、遊技球排出ボタン１４ｃを有して遊技盤６の下方、すなわち装飾枠１２の下方部分に配置され、下皿１４ｂは、その上皿１４ａの更に下方に配置されている。
【００５２】
発射ユニットは、遊技球供給装置（不図示）によって貯留皿１４の一部としての上皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００５３】
遊技盤ユニット５は、表面側の略中央にセンター役物７が配置された遊技盤６を有しており、その遊技盤６には多数のゲージ（遊技釘）２７も配置されている。遊技盤６は、その表面側に遊技球２３の流下による遊技を実現するための遊技領域１６を構成するための遊技装置体であり、遊技盤６を前方から遊技者にとって視認可能となるように遊技機枠３（本実施の形態においては、遊技機枠３の一部としての機枠９。）に保持されている。その遊技盤６の表面には略円形状に周囲を囲むようにレール飾り２６が取り付けられており、レール飾り２６の内側面（内周面）２６ａが遊技盤に対して立設するように配置されている。そして、レール飾り２６の内側面２６ａによって画定され、内側面２６ａに面した略円形状の領域が遊技領域１６となっている。
【００５４】
ゲージ２７は、遊技領域１６を流下する遊技球２３と衝突してその流下方向を変更させる流下変更部材であり、多数が遊技領域１６内に配置されている。また、遊技領域１６には、普通入賞口２８、中央始動口（第１の始動口及び第２の始動口）２９、中央大入賞口（第１の大入賞口）３１、２種大入賞口（第２の大入賞口）８等の入球部材及びアウト口３８が配置されている。更に、遊技領域１６には、通過ゲート３３、風車３４等が配置されており、流下する遊技球２３が各入球部材に流入したり、通過ゲート３３を通過したり、風車３４を回転させたりすることによって、遊技球２３による流下遊技を楽しむことができるようになっている。
【００５５】
センター役物７は、図柄変動遊技（１種遊技）や役物遊技（２種遊技）を実現するものである。センター役物７の中央部には、図柄表示装置７ａが配置されるとともに、この図柄表示装置７ａの表示画面（映像表示面）７ｂを露出させるための表示開口部７ｄが形成されている。センター役物７の表示開口部７ｄの下方には、遊技球２３が転動可能なステージ７ｅと、２種大入賞口８と、が設けられている。ステージ７ｅは、２種大入賞口８より手前側（遊技者から近い側）に配置されている。
【００５６】
図柄表示装置７ａは、例えば、液晶表示装置・有機ＥＬディスプレイ・ＬＥＤ等により構成されて遊技者が遊技盤６の表面側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００５７】
センター役物７は、遊技領域１６の略中央に位置しており、その上部右側の一部が球通路３７の下側壁面を構成している。そして、発射された遊技球２３の勢いが比較的強く球通路３７を通過すると、センター役物７の右側部分の遊技領域１６へと至ることができるようになっている。
【００５８】
発射された遊技球２３の勢いが比較的弱く、この球通路３７を通過しない場合には、遊技球２３はセンター役物７の左側部分の遊技領域１６を流下する。図示しない球発射装置により遊技球２３が発射されると、遊技球２３はレール飾り２６の内側面２６ａに沿いつつ進行して遊技領域１６内の上部に至る。その後、遊技球２３は、複数の通過軌跡に沿って移動し、あるものはレール飾り２６の内側面２６ａに沿って右側に移動し、あるものはゲージ２７に衝突しつつ遊技領域１６内を下方に流下し、あるものは普通入賞口２８に流入して一定数の景品球払出しの契機となり、あるものはいずれの入球装置にも流入せずに遊技領域１６内最下部に位置するアウト口３８に流入してアウト球としてパチンコ機２の外部側へと排出される。
【００５９】
図柄変動遊技中に遊技球２３が中央始動口２９の上流入口２９ａに流入すると、その流入に起因して図柄表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、中央大入賞口３１が開放して多量の入賞球を受け入れ、多量の景品球が貯留皿１４へと払い出されるようになっている。
【００６０】
一方、球通路３７を通過した遊技球２３は、あるものは通過ゲート３３を通過する。その通過ゲート３３の通過に起因して状態変更抽選手段（不図示）による抽選が行われ、その抽選結果が当たりの場合に、中央始動口２９の下流入口２９ｂが一定時間開放する。この中央始動口２９の下流入口２９ｂは、閉鎖状態では遊技球２３の流入が不可能とされているが、その開放中に流入すると、それに起因して２種大入賞口８に設けられた流入口８ａが所定時間開放して大当り遊技が発生する（即ち、第２特別遊技の第１段階）。その開放時間中に、更に後続の遊技球２３が２種大入賞口８のＶ入賞口（所定領域）に入賞すれば、中央大入賞口３１の開放により大当り遊技の継続（即ち、第２特別遊技の第２段階）を楽しむことができるようになっている。
【００６１】
次いで、図２から図１４に基づいてセンター役物７について詳細に説明する。センター役物７は、遊技盤６を挟んで前後に配置される表センター役物７ｆと裏センター役物４０とによって構成されている。表センター役物７ｆは、遊技盤６の前方に配置され、遊技者に対して装飾効果を発揮する。裏センター役物４０は、遊技盤６の後方に配置され、表センター役物７ｆ及び遊技盤６に形成された表示開口部７ｄ等を介して正面から視認される。裏センター役物４０の中央には、図柄表示装置７ａが配置される。なお、以下の説明における前後、左右及び上下は、遊技者が正面からパチンコ機２を視認した状態における方向である。
【００６２】
本実施の形態では、図柄表示装置７ａの他、複数のユニット部材を収納する裏センター役物４０の構成について詳細に説明する。図２は、遊技盤６から取り外した状態の裏センター役物４０の正面図であり、図３は、裏センター役物４０の右側面図である。図４は、正面から視認した裏センター役物４０の分解斜視図であり、図５は、背面から視認した裏センター役物４０の分解斜視図である。
【００６３】
裏センター役物４０は、裏センター役物４０の外形を構成する枠部材４１と、枠部材４１内に収納される複数のユニット部材と、を有する。複数のユニット部材は、２種大入賞口８の流入口８ａから流入した遊技球２３が導かれる第１球通路８ｂの上流側を構成する第１ユニット部材４２と、第１ユニット部材４２に設けられた第１球通路８ｂの下流側を構成する第２ユニット部材４３と、第２ユニット部材４３から第２球通路８ｃを介して遊技球２３が流入する振分部材８ｄを有する第３ユニット部材４４と、左右に揺動する第１可動部４５ｃを有する第４ユニット部材４５と、左右にスライド移動する第２可動物４６ｄを有する第５ユニット部材４６と、を備える。
【００６４】
枠部材４１は、略矩形に形成されており、内部に各ユニット部材を収納する空間を有する。背面には略矩形の開口部４１ａが形成されており、枠部材４１の後方に配置される図柄表示装置７ａが視認できるように構成されている。枠部材４１の前面には、遊技盤６と固定される枠固定部としての枠穴部４１ｂが複数形成されており、枠部材４１の右上部には、外形変形構造が形成されている。外形変形構造は、前後方向に貫通して形成された溝部４１ｃを有し、この溝部４１ｃの形状の変化によって隣接する枠穴部４１ｂ同士の相対位置を調整できるように構成されている。
【００６５】
図６は、枠部材４１の溝部４１ｃを拡大した正面図である。（ａ）は、変形前の状態を示しており、（ｂ）は変形後の状態を示している。溝部４１ｃは外力によって変形可能に構成されており、溝部４１ｃに外力を加えない状態（変形前の状態）では、溝部４１ｃは隙間を有している。この状態から溝部４１ｃの隙間が小さくなるように外力を加えると（ｂ）に示す状態となる。（ｂ）に示す状態では、変形前の状態よりも溝部４１ｃの隙間が小さくなっている。
【００６６】
変形前における隣接する枠穴部４１ｂ間の距離Ｘ１と変形後における枠穴部４１ｂ間の距離Ｘ２とを比較するとＸ１よりもＸ２の距離が短くなっており、枠穴部４１ｂ間の距離は変化している。このように溝部４１ｃの幅等を適宜変化した後に枠穴部４１ｂを介して枠部材４１と遊技盤６とを固定することにより、枠部材４１の歪みを吸収して枠部材４１と遊技盤６とを固定して、枠部材４１と遊技盤６との取付精度を向上させることができる。
【００６７】
枠部材４１は、複数のユニット部材を収納可能に構成されている。第１ユニット部材４２、第２ユニット部材４３及び第３ユニット部材４４は、２種大入賞口８を構成している。第１ユニット部材４２は、枠部材４１の左下部に配置され、表センター役物７ｆに形成された２種大入賞口８の流入口８ａから流入した遊技球２３が導かれる第１球通路８ｂを有する。第１球通路８ｂは、第１ユニット部材４２と、第１ユニット部材４２の右側に隣接した第２ユニット部材４３と、に跨って配置されている。第１球通路８ｂは、第１ユニット部材４２から第２ユニット部材４３に向かって遊技球２３が通過するように構成されている。第１ユニット部材４２が遊技球２３の通過方向における上流側であり、第２ユニット部材４３が遊技球２３の通過方向における下流側である。第２ユニット部材４３は、遊技球２３が入球可能な６箇所の抽選入球口が形成された回転抽選体８ｎを有しており、そのうち１つの抽選入球口がＶ入賞口である。第１球通路８ｂを通過した遊技球２３は、回転抽選体８ｎに流入する。
【００６８】
図７は、図３に示すＡ−Ａ断面図における第１球通路部分を拡大した図である。図７は、第１ユニット部材４２と第２ユニット部材４３との境界部分を示している。なお、図７においては、第１ユニット部材４２と第２ユニット部材４３とを区別するために、第１ユニット部材４２に斜線を付して示している。第１球通路８ｂに流入した遊技球２３は、第１ユニット部材４２における第１球通路８ｂの第１通過面４２ａを通過した後、第２ユニット部材４３における第１球通路８ｂの第２通過面４３ａを通過する。
【００６９】
第１通過面４２ａから第２通過面４３ａに向かって遊技球２３が通過する際に、第１通過面４２ａよりも第２通過面４３ａが上方に位置していると、第１通過面４２ａと第２通過面４３ａとに段差が生じて、第１通過面４２ａから第２通過面４３ａに向けての円滑な遊技球２３の移動を実現できないおそれがある。
【００７０】
このような不具合を防止するために、裏センター役物４０には、第１通過面４２ａと第２通過面４３ａとの上下移動を規制するユニット移動規制構造が設けられている。第１ユニット部材４２の第１通過面４２ａと第２ユニット部材４３の第２通過面４３ａとにおけるユニット移動規制構造は、第１通過面４２ａの一部に重ねて第２通過面４３ａを配置した構成である。このように第１通過面４２ａと第２通過面４３ａとを配置することにより、第１通過面４２ａよりも第２通過面４３ａが上方に位置することを防止し、第１球通路８ｂ内の遊技球２３を円滑に移動することができる。
【００７１】
また、第１ユニット部材４２の第１通過面４２ａの下方には、第２ユニット部材４３に向けて立設された第１ユニット挟持部４２ｂが設けられている。一方、第２ユニット部材４３には、第１ユニット挟持部４２ｂに挿入可能な第２ユニット突起部４３ｂが設けられている。第１ユニット挟持部４２ｂは、上下に離間して配置された一対の板部であり、この板部間に第２ユニット突起部４３ｂが挿入可能に構成されている。
【００７２】
第１ユニット挟持部４２ｂに第２ユニット突起部４３ｂが挿入されることにより、第１ユニット部材４２と第２ユニット部材４３との回転方向の相対移動が規制される。すなわち、第１ユニット挟持部４２ｂと第２ユニット突起部４３ｂも、第１ユニット部材４２と第２ユニット部材４３とのユニット移動規制構造として機能している。
【００７３】
第２ユニット部材４３の右側には、第３ユニット部材４４が隣接しており、第２ユニット部材４３の回転抽選体８ｎのＶ入賞口に入球した遊技球２３は、第２球通路８ｃに流入するように構成されている。第２球通路８ｃは、第２ユニット部材４３と第３ユニット部材４４とに跨って設けられている。第２球通路８ｃを通過した遊技球２３は、第３ユニット部材４４の振分部材８ｄに導かれる。振分部材８ｄには、２つの入球部が設けられており、遊技球２３がいずれの入球部に入球したかに基づいて所定の演出が実行される。
【００７４】
次いで、第２球通路８ｃが跨って配置された第２ユニット部材４３と第３ユニット部材４４とにおけるユニット移動規制構造について説明する。図８は、図３に示すＡ−Ａ断面図の第２球通路８ｃ部分を拡大した図である。第２球通路８ｃに流入した遊技球２３は、第２ユニット部材４３における第２球通路８ｃの第１通過面４３ｃを通過した後、第３ユニット部材４４における第２球通路８ｃの第２通過面４４ａを通過する。
【００７５】
第２ユニット部材４３の第１通過面４３ｃと第３ユニット部材４４の第２通過面４４ａとにおけるユニット移動規制構造は、第１通過面４３ｃの一部を第２通過面４４ａの一部に重ねて配置して構成である。このように第１通過面４３ｃを第２通過面４４ａに重ねて配置することにより、第１通過面４３ｃよりも第２通過面４４ａが上方に位置することを防止し、第２球通路８ｃ内の遊技球２３も円滑に移動することができる。
【００７６】
なお、第３ユニット部材４４の上方には第４ユニット部材４５が隣接しており、第３ユニット部材４４の回転移動は第４ユニット部材４５によって規制されるため、第３ユニット部材４４の回転方向の移動を規制するユニット移動規制部材を設けていない。更に、本実施の形態に係る裏センター役物４０は、第１ユニット部材４２、第２ユニット部材４３及び第３ユニット部材４４が隣接して配置されており、左右方向の位置ずれが生じ難いため、左右方向の相対移動を規制する構成を設けていない。しかしながら、回転方向の相対移動や左右方向の位置ずれが発生するおそれがある場合には、左右方向の移動を規制する構成や奥行方向の移動を規制する構成を適宜設けてもよい。
【００７７】
また、第３ユニット部材４４の上方には、第４ユニット部材４５が隣接している。第３ユニット部材４４の上部は第４ユニット部材４５の下部の前方に位置しており、第４ユニット部材４５の前方に第３ユニット部材４４が重なった状態で固定されている。また、第４ユニット部材４５の上方には、第５ユニット部材４６が配置されている。第４ユニット部材４５の上部は第５ユニット部材４６の前方に配置されており、第５ユニット部材４６の前方に第４ユニット部材４５が重なった状態で固定されている。このように、隣接するユニット部材の一部を重ねた状態で枠部材４１に固定することにより、隣接するユニット部材同士の位置ずれを防止することができる。
【００７８】
また、各ユニット部材と枠部材４１とは、複数のユニット固定部を介して接続されている。本実施の形態では、枠部材４１に対して５つのユニット部材が固定されており、またユニット部材同士が隣接して配置されているため、枠部材４１や各ユニット部材に歪みが生じると、各ユニット部材を枠部材４１の適切な位置に収納できないおそれがある。裏センター役物４０には、このような不具合を防止するための位置調整構造が設けられている。
【００７９】
次いで、図９から図１２に基づいて位置調整構造について説明する。図９から図１２は、図２に示すＢからＥ部分を拡大した部分拡大図である。図９はＢ部分の拡大図であり、図１０はＣ部分の拡大図であり、図１１はＤ部分の拡大図であり、図１２はＥ部分の拡大図である。
【００８０】
図９及び図１０は、枠部材４１と第５ユニット部材４６とを接続するユニット固定部を示した図である。第５ユニット部材４６には、ユニット固定部としての第１長穴４６ａ及び第２長穴４６ｂが形成されている。第１長穴４６ａには、枠部材４１に形成されたネジ穴（図示せず）と羅合するネジ部４６ｃが挿入する。第１長穴４６ａ内におけるネジ部４６ｃの位置は移動可能である。また、第２長穴４６ｂには、枠部材４１に設けられた突起部（ユニット固定部）４１ｄが挿入される。第２長穴４６ｂ内における突起部４１ｄの位置は移動可能である。第１長穴４６ａ及び第２長穴４６ｂ内におけるネジ部４６ｃ及び突起部４１ｄの位置を適宜変化させることにより、第５ユニット部材４６と枠部材４１との相対位置を調整することができる。
【００８１】
このように、第５ユニット部材４６の中央上部と左部に図９及び図１０に示す位置調整構造が設けられており、複数の位置調整構造を用いて第５ユニット部材４６と枠部材４１と相対位置を調整することができる。したがって、第５ユニット部材４６と枠部材４１の位置調整は、上下方向の位置調整や左右方向の位置調整のみならず、回転方向における角度調整も可能となる。
【００８２】
図１１は、枠部材４１と第４ユニット部材４５とを接続するユニット固定部を示した図である。第４ユニット部材４５には、ユニット固定部としての長穴４５ａが形成されている。長穴４５ａには、枠部材４１に形成されたネジ穴（図示せず）と羅合するネジ部４５ｂが移動可能に挿入されている。長穴４５ａ内におけるネジ部４５ｂの位置を移動することにより、第４ユニット部材４５と枠部材４１との相対位置を調整することができる。
【００８３】
図１２は、枠部材４１と第１ユニット部材４２とを接続するユニット固定部を示した図である。第１ユニット部材４２には、ユニット固定部として複数の突起部４２ｄが形成され、枠部材４１には、突起部４２ｄと噛み合う嵌合穴部４１ｅが形成されている。枠部材４１と第１ユニット部材４２は上下方向に相対移動可能に構成されている。第１ユニット部材４２の複数の突起部４２ｄは、いずれも嵌合穴部４１ｅと噛み合うように構成されている。嵌合穴部４１ｅに挿入する突起部４２ｄを変更することにより、第１ユニット部材４２と枠部材４１との相対位置を調整することができる。
【００８４】
また、各ユニット部材と枠部材４１を固定するユニット固定部は、各ユニット部材の前側と後側とを比較すると後側に多く配置されている。したがって、各ユニット部材の後側は枠部材４１と固定されて位置決めがなされている。しかし、各ユニット部材の前側は枠部材４１と固定されていないため、衝撃の作用等によって位置がずれてしまうおそれがある。このような不具合を防止するために、本実施の形態に係る裏センター役物４０は、ユニット接続部を用いて隣接するユニット部材同士を接続して、ユニット部材の位置ずれを防止している。
【００８５】
図１３及び図１４は、ユニット接続部を示した図である。図１３は、左下方から裏センター役物４０を視認した図であり、第１ユニット部材４２と第２ユニット部材４３とを固定するユニット接続部を拡大して示している。
【００８６】
第１ユニット部材４２には、第２ユニット部材４３の一部の前方を覆うカバー部４２ｃが形成されている。カバー部４２ｃが第２ユニット部材４３の前方に重なった状態で、カバー部４２ｃと第２ユニット部材４３とがビス４３ｅによって固定される。このように第１ユニット部材４２が第２ユニット部材４３の前方に重なった状態で第１ユニット部材４２と第２ユニット部材４３とを固定することにより、第１ユニット部材４２と第２ユニット部材４３との前側における位置ずれを防止することができる。
【００８７】
図１４は、右下方から裏センター役物４０を視認した状態であり、第２ユニット部材４３と第３ユニット部材４４とを固定するユニット接続部を拡大して示している。第２ユニット部材４３の一部は、第３ユニット部材４４の一部の前方を覆うように配置されており、この第２ユニット部材４３と第３ユニット部材４４とが重なった部分を第２ユニット挟持部４３ｄによって挟んで固定している。第２ユニット挟持部４３ｄは、第２ユニット部材４３と第３ユニット部材４４との前後方向に移動を規制する。
【００８８】
このように第２ユニット部材４３が第３ユニット部材４４の前方に重なった状態で第２ユニット部材４３と第３ユニット部材４４とを固定することにより、第２ユニット部材４３と第３ユニット部材４４との前側における位置ずれを防止することができる。
【００８９】
このように本実施の形態によれば、複数のユニット部材を収納する枠部材４１を遊技盤６に取り付ける際に、枠部材４１の歪みを容易に吸収することができ、枠部材４１を適切な位置で遊技盤６に取り付けて、遊技盤６に対するセンター役物７の取付精度を向上させることができる。
【００９０】
また、隣接して配置されたユニット部材同士の相対位置のずれを防止しており、複数のユニット部材に跨って配置された球通路における遊技球２３の円滑な通過を実現することができる。例えば、遊技球２３の通過態様が遊技に多大な影響を及ぼす２種大入賞口内の球通路を複数のユニット部材に跨って配置した場合であっても、ユニット部材の位置ずれを抑制することができ、ユニット部材の取付精度を高め、公平な遊技を遊技者に提供することができる。
【００９１】
以上、本発明の好ましい実施の形態を説明したが、本発明はこれらに限定されるものではなく、その要旨の範囲内で様々な変形や変更が可能である。例えば、本実施の形態では、外形変形構造として溝部を設け、この溝部の形状の変化に基づいて歪みを吸収するように構成したが、枠部材を複数の枠構成部材によって設け、この枠構成部材の相対位置の調整に基づいて歪みを吸収するように構成してもよい。
【００９２】
図１５は、変形例に係る外形変形構造を示した図である。（ａ）は左上方から見た斜視図であり、（ｂ）は左側面図である。変形例に係る枠部材５０は、第１枠構成部材５１と、第２枠構成部材５２と、によって構成されている。第１枠構成部材５１は、枠部材５０の左側面の上部、上面、後面、及び前面の一部を構成している。第２枠構成部材５２は、枠部材５０の左側面の下部、下面、前面の一部、及び右側面（図示せず）を構成している。第１枠構成部材５１と第２枠構成部材５２とによって略矩形の枠部材５０となるように構成されている。
【００９３】
第１枠構成部材５１の前面には、第２枠構成部材５２に向かって突出した突起部５１ａ（調整部）が立設されている。この突起部５１ａは、第２枠構成部材５２の前面に形成された溝部５２ａ（調整部）に挿入される。突起部５１ａ、溝部５２ａ内で移動自在である。溝部５２ａに沿って突起部５１ａが移動するように第１枠構成部材５１及び／又は第２枠構成部材５２を移動することにより、第１枠構成部材５１と第２枠構成部材５２との相対位置を調整することができる。
【００９４】
更に、ユニット接続部の構成は、実施の形態に係るユニット接続部の構成に限られず、変形例を概念することができる。次いで、図１６に基づいて変形例に係るユニット接続部について詳細に説明する。図１６（ａ）は、ユニット接続部と複数のユニット部材を模式的に示した斜視図であり、(ｂ)は、ユニット接続部とユニット部材とを固定して配線を収納した状態を模式的に示した左側面図である。なお、図１６においては、説明の便宜上枠部材等、ユニット部材及びユニット接続部以外の構成は省略する。
【００９５】
ユニット接続部６０は、隣接して配置された第１ユニット部材６１、第２ユニット部材６２、第３ユニット部材６３を接続するものである。第１ユニット部材６１、第２ユニット部材６２、及び第３ユニット部材６３の前面には、板部６１ａ、６２ａ、６３ａが立設しており、ユニット接続部６０には、これらの板部６１ａ、６２ａ、６３ａを収納可能な凹部６０ａが形成されている。
【００９６】
また、各ユニット部材の前面には第１穴部６１ｂ、６２ｂ、６３ｂが形成されており、ユニット接続部６０には、第１穴部６１ｂ、６２ｂ、６３ｂと連通する第２穴部６０ｂが形成されている。ユニット接続部６０の凹部６０ａに複数の板部６１ａ、６２ａ、６３ａを収納した状態で、各ユニット部材の第１穴部６１ｂ、６２ｂ、６３ｂとユニット接続部６０の第２穴部６０ｂとをビス（図示せず）で固定することにより、複数のユニット部材を一体化して固定することができる。
【００９７】
なお、変形例においては、ユニット接続部とユニット部材とをビスによって固定しているが、この構成に限られず他の構成によってユニット接続部とユニット部材とを固定してもよい。例えば、ユニット接続部に爪部を設け、爪部が左右方向にスライド移動することにより爪部と噛み合う穴部をユニット部材に設ける構成としてもよい。この構成によれば、ユニット接続部とユニット部材とを当接した状態で、ユニット接続部を左右方向にスライド移動することにより、ユニット接続部とユニット部材とを固定したり、その固定を解除したりすることができる。
【００９８】
更に、ユニット接続部６０の凹部６０ａの断面は板部の断面よりも面積が大きく、凹部６０ａは板部６１ａ、６２ａ、６３ａを収納した状態で空間を有するように構成されている。この空間に配線Ｗを収納することが可能であり、電子基板等を備えるユニット部材の配線Ｗを容易にまとめて収納することができる。
【００９９】
また、本実施の形態では、裏センター役物と表センター役物とによってセンター役物を構成しており、この裏センター役物と表センター役物との位置決めのための位置調整構造を更に備えていてもよい。図１７は、右前方からセンター役物を視認した斜視図であり、裏センター役物７０と表センター役物７１の位置調整構造を模式的に示している。なお、図１７においては、表センター役物７１と裏センター役物７０とを区別し易くするため、表センター役物７１に斜線を付して示す。
【０１００】
裏センター役物７０は、表センター役物７１の一端と係合する受け部７０ａが形成されており、表センター役物７１には、受け部７０ａと嵌合する形状の突起部７１ａが形成されている。受け部７０ａと突起部７１ａとを当接させることにより、裏センター役物７０と表センター役物７１との位置決めをすることができる。まず、受け部７０ａの下面７０ｂと突起部の下面７１ｂとが当接することにより、上下方向の位置決めを行うことができる。
【０１０１】
また、受け部７０ａには、左右方向に拡開した傾斜面７０ｃが設けられており、突起部７１ａには、受け部７０ａの傾斜面７０ｃに沿う傾斜面７１ｃが形成されている。突起部７１ａを受け部７０ａに沿わせて移動することにより、受け部７０ａの傾斜面７０ｃによって左右方向における基準位置に突起部７１ａをガイドすることができ、左右方向の位置決めを容易に行うことができる。
【符号の説明】
【０１０２】
Ｗ：配線
２：パチンコ機（遊技機）
３：遊技機枠
４：筐体枠（遊技機枠の一部）
５：遊技盤ユニット
６：遊技盤（遊技装置体）
７：センター役物（遊技役物）
７ａ：図柄表示装置
７ｂ：表示画面（映像表示面）
７ｃ：表示図柄
７ｄ：表示開口部
７ｅ：ステージ
７ｆ：表センター役物
８：２種大入賞口
８ａ：流入口
８ｂ：第１球通路
８ｃ：第２球通路
８ｄ：振分部材
８ｎ：回転抽選体
９：機枠（遊技機枠の一部）
１０：前面ガラス（透明板）
１２：装飾枠（遊技機枠の一部）
１４：貯留皿
１４ａ：上皿
１４ｂ：下皿
１４ｃ：遊技球排出ボタン
１５：発射ハンドル
１６：遊技領域
２２：ヒンジ部（揺動支持部）
２３：遊技球
２６：レール飾り
２６ａ：内側面（内周面）
２７：ゲージ（遊技釘）
２８：普通入賞口
２９：中央始動口（第１の始動口、第２の始動口）
２９ａ：上流入口
２９ｂ：下流入口
３１：中央大入賞口（第１の大入賞口）
３２：装飾部材
３３：通過ゲート
３４：風車
３７：球通路
３８：アウト口
４０：裏センター役物
４１：枠部材
４１ａ：開口部
４１ｂ：枠穴部（枠固定部）
４１ｃ：溝部（外形変形構造）
４１ｄ：突起部（ユニット固定部）
４１ｅ：嵌合穴部（ユニット固定部）
４２：第１ユニット部材
４２ａ：第１球通路の第１通過面
４２ｂ：第１ユニット挟持部
４２ｃ：カバー部(ユニット接続部)
４２ｄ：突起部（ユニット固定部）
４３：第２ユニット部材
４３ａ：第１球通路の第２通過面
４３ｂ：第２ユニット突起部
４３ｃ：第２球通路の第１通過面
４３ｄ：第２ユニット挟持部(ユニット接続部)
４３ｅ：ビス(ユニット接続部)
４４：第３ユニット部材
４４ａ：第２球通路の第２通過面
４５：第４ユニット部材
４５ａ：長穴（ユニット固定部）
４５ｂ：ネジ部（ユニット固定部）
４５ｃ：第１可動物
４６：第５ユニット部材
４６ａ：第１長穴（ユニット固定部）
４６ｂ：第２長穴（ユニット固定部）
４６ｃ：ネジ部（ユニット固定部）
４６ｄ：第２可動物
５０：枠部材
５１：第１枠構成部材（枠構成部材）
５１ａ：突起部（調整部）
５２：第２枠構成部材(枠構成部材)
５２ａ：溝部（調整部）
６０：ユニット接続部
６０ａ：凹部
６０ｂ：第２穴部
６１：第１ユニット部材
６１ａ：板部
６２ｂ：第１穴部
６２：第２ユニット部材
６２ａ：板部
６２ｂ：第１穴部
６３：第３ユニット部材
６３ａ：板部
６３ｂ：第１穴部
７０：裏センター役物（遊技役物）
７０ａ：受け部
７０ｂ：下面
７０ｃ：傾斜面
７１：表センター役物（第２役物）
７１ａ：突起部
７１ｂ：下面
７１ｃ：傾斜面
【図１】
2010207303.tif 000003
【図２】
2010207303.tif 000004
【図３】
2010207303.tif 000005
【図４】
2010207303.tif 000006
【図５】
2010207303.tif 000007
【図６】
2010207303.tif 000008
【図７】
2010207303.tif 000009
【図８】
2010207303.tif 000010
【図９】
2010207303.tif 000011
【図１０】
2010207303.tif 000012
【図１１】
2010207303.tif 000013
【図１２】
2010207303.tif 000014
【図１３】
2010207303.tif 000015
【図１４】
2010207303.tif 000016
【図１５】
2010207303.tif 000017
【図１６】
2010207303.tif 000018
【図１７】
2010207303.tif 000019